(57)【特許請求の範囲】
【請求項１】
オープントップタイプのバッグと、該バッグの下方部分を支持するカートン（11）と、を備えてなる、食品または他の販売品のためのパッケージであって、
バッグは、対向する２つの側壁部を備えるとともに上端が開口し、
カートン（11）は、中央の折線（14）を有していてバッグの底部に沿って延在するベース（13）と、他の折線（16,16）に沿ってヒンジ式にベース（13）の両側に連結された２つの側壁部（15,15）と、これら２つの側壁部を連結する端壁（17,17）と、を備え、
バッグの一方の側壁部がカートンの一方の側壁部（15）に、バッグの他方の側壁部がカートンの他方の側壁部（15）に、それぞれ固定されていて、これにより、カートン（11）を開くとそれに連動してバッグが開き、
上記２つの側壁部（15,15）間におけるベース（13）の長さを、端壁（17,17）の長さよりも長く設定し、これにより、中央の折線（14）を上方に向かって押圧してベース（13）を逆Ｖ字状としたときに、バッグの開口状態が維持されるとともに、
上記バッグがカートンの内側に配置されており、バッグの側壁部がカートンの側壁部の内面に固定されていて、
上記バッグの口部を折り畳んで、外側に延在する羽根状部分（23）を構成し、
該羽根状部分は、側壁部間に存在する内容物の周囲に折り畳むことができ、
該羽根状部分を、バッグの底壁部とカートンのベースとの間に挿入してバッグを閉止することができるように構成したことを特徴とする、パッケージ。
【発明の詳細な説明】
本発明は、物品または販売品のためのパッケージに関する。販売品としては、例えば、ハンバーガー、魚片、チキン、フレンチフライ等の”ファーストフード”、および菓子類、ベーカリー、贈り物等の他の食品が考えられる。
本発明の目的は、食品等のためのパッケージであって、ベースが積極的に直立状態に維持されるパッケージを提供することである。
本発明により、食品または他の販売品のためのパッケージであって、紙製またはフィルム製のバッグと、該バッグの下方部分を支持するカートン部と、を備えたものが提供される。カートン部は、中央の折線を有するベースと、カートンおよびバッグを折り畳んだ平坦状態およびバッグが開口した状態とする他の折線に沿ってヒンジ式にベースに連結された壁部と、を備えている。バッグの下方部分の側壁がカートンの側壁に固定されている。折り畳まれたベースがＶ字状となるように開くことによってカートンが直立したときにバッグの底部部分が開き、Ｖ字状部が徐々に開くと、カートンのベースが中央を越えて逆転するまで、壁部が離れる方向に移動するようなテンションがバッグに加えられ、これによって、バッグの底部を開口状態に維持し、物品を内部に収容する。本発明のパッケージにおいては、ベースの端部がＶ字状に突出しており、カートンの側壁と底部との間に設けられた上記他の折線が凸状にカーブしている。カートンのベースは、中央を越えて逆転したときに、カートンの側壁を凸状にカーブさせた状態で凹状にカーブし、この結果、カートンのベースがバッグの底部部分に抗して開口し、テンション下で開口状態が維持されることを特徴としている。
一般的には、バッグの側壁は、カートンの側壁に連結される。
より具体的には、バッグの側壁は、カートンの側壁に接着される。
本発明の一具体例においては、カートンは、側壁、端壁、および底壁を備えている。そして、底壁は、側壁を連結しているが端壁には接続されていない。
この場合、カートンの端壁は、側壁よりも短く、これにより、カートンが折り畳まれていないときに該カートンの底壁がＶ字状となる。このＶ字状部分はスナップ変形して逆Ｖ字状となり、これにより、端壁を真っ直ぐに維持しつつ両側壁を互いに離れた状態に維持し、容器内に物品を受け入れる。
より具体的には、カートンはバッグ内に配置される。
他の具体例においては、カートンはバッグ内に配置されており、バッグの側壁がカートンの側壁の内面に固定される。
この場合、上記バッグの口部を折り畳んで、外側に延在する羽根状部分を構成することができる。該羽根状部分は、側壁間の物品の周囲に折り畳むことができ、これをバッグの底壁とカートンのベースとの間に挿入してバッグを閉止することができる。
本発明の特定の具体例を添付の図面を参照しつつ以下に説明する。
図１は、カートンとなるカートンブランク材が積層された紙製ブランクシートの平面図である。このブランクシートから、ハンバーガーや他の物品のためのパッケージが形成される。
図２は、平坦に折り畳まれた状態にある完成したパッケージの斜視図である。図３は、直立し、包まれる物品を受け入れるべく開口したパッケージの斜視図である。
図４は、物品を受け入れて、部分的に閉じられたパッケージの斜視図である。図５は、完全に閉じられたパッケージの斜視図である。
図６は、販売品を受け入れるペーパバッグのためのブランクの平面図である。このバッグは、下方部分がカートンで支持されている。
図７は、図６のパッケージの完成状態を示す斜視図である。パッケージは、これから直立させるために平坦とされている。
図８は、販売品を受け入れるべく開けられているパッケージの斜視図である。図９は、さらに他のパッケージのためのブランクの平面図である。
図10〜13は、平坦な状態からパッケージを開けて、完全に直立させ充填するまでの手順を示している。
図１を参照すると、贈り物を包む包装紙10の長方形シートが示されている。この包装紙10に、オープントップのカートンを作るためのブランク材11が積層されている。ブランク材11は、シート上において、中央線12の両側に対称となるように配置されている。シートは、後述するように、中央線12に沿って折り畳まれる。厚紙でできたブランクは、予め折られた中央線14を有する底壁13を備えている。中央線14は、シート10の中央線12に対して一直線となるように配置されている。予め折られた線16に沿って、側壁15が底壁の外端縁に連結されている。各側壁15は端壁部17を有しており、この端壁部17は、側壁15との間の予め折られた線18に沿って側壁15に連結している。一方の側壁15の端壁部17は、延在する接着タブ19を有する。接着タブ19は、他方の側壁15の端壁部17に接着される。
シート10は、その両側において凹部21を含む外側の破線20に沿って切断される。そして、凹部21の周囲とカートンの端壁部の接着タブ19とに、接着帯状部22が設けられる。代わりの構成として、帯状部および他の指示した領域に沿って熱および圧力を加えると接着するヒートシールフィルムでシートを構成してもよい。
シート10は、前述したように、中央線12に沿って折り畳まれる。これにより、該中央線12の両側に存在する各凹部21の端縁が接着またはヒートシールされるとともに、一方の側壁15の端壁部の接着タブ19が他方の側壁の端壁部に接着またはヒートシールされる。こうして、図２に示したような、折り畳まれたブランクが形成される。シート10の端部23を分離すると、図３に示したように、ブランクを開けることができる。この後、折り畳まれたシート内で折り畳まれたカートン材のブランクは、側壁15を分離して、折り畳まれたベース13の中央を側壁15の方に向かって上方に押圧することによって開けることができる。ブランクのベース13を構成する部分の長さが端壁17よりも長くされており、これによって、端壁17が両側壁間で真っ直ぐに維持されたときに、ベース13が側壁間においてＶ字状となる。Ｖ字状となったベースをさらに中央を超して押圧すると、両側壁間に入り込み逆Ｖ字状となる。これにより、両側壁を間隔をおいた状態に維持できる。こうして、ブランクは、シート10内においてオープントップのカートンを構成し、ハンバーガーや他の物品等の種々の販売品を受け入れることができる。
物品がカートン内に入れられると、シートの端部23が図４に示したように折り畳まれて、カートン上部が閉じられる。シートの端部23が図５に示したようにカートンの下方側へと折り曲げられて、包装が完了する。側壁15の上端縁がカーブまたは曲線状となっていて、これにより、パッケージの上部が湾曲していること、および、側壁の底端縁とカートンのベースとの間の湾曲した折線16によって、カートンの湾曲した底部が形成されていること、に注意すべきである。
積層した内部カートンを備えるシートは、平坦な形状で供給することができ、しかも販売される物品を受け入れて保持するある程度の剛性をもった容器へと有効に変化する、融通のきくパッケージを形成する。ハンバーガー等の食品の場合には、このパッケージは、ハンバーガーを持ちながら食べるのに都合の良い道具となる。
次に図６を参照すると、食品や販売品等の物品を受け入れるパッケージを構成するブランクがその全体を参照番号30で示されている。このバッグは、とくに“フレンチフライ”、菓子類、または、ポテトチップ（crisp）、ナッツ、ポップコーン等のスナック類を販売時に保持するためのものである。
このブランクは、折線32で互いに連結された２つの壁部31を備えている。側壁は、要求されるバッグ形状に対応する形状の側端縁33および頂部端縁34を有することとなるように切断されている。折線32のすぐ近傍において、参照番号35で示しているように、壁部はポイント36にまで鋭角に広がって、バッグの底壁を構成する。壁部は、この後、緩やかに傾斜して広がって、バッグの側壁を定める。バッグの壁部が帯状部37に沿ってヒートシールまたは接着され、バッグが構成される。このとき、頂部端縁34のみが接着されずに残されて、バッグに入れる食品や他の販売品を通す開口部が形成される。
バッグの外表面を形成するペーパブランクの側面に、厚紙で作られたカートンのフォーム40が固定されている。ブランクのベース41は、該ブランクの横断方向に延びるとともに、ペーパブランクの底部折線32に一致する折線42を有ている。ベース41には、他の折線44に沿って側壁43が連結されている。折線44は、図６から分かるように凸状にカーブしているが、その目的は後に説明する。側壁43は、ヒートシールまたは接着によってバッグの側方に固定される。
図７は、上述のように側端縁を接着して完成したバッグ／カートンを、充填前の全体が平坦な状態で示している。
物品を受け入れるために、バッグの頂部または口が開かれる。バッグの下方部分は、後述するようにカートンを立たせることによって、図８のように開いた状態に維持される。バッグの側壁31は、例えばポテトチップをすくうスコップ等の器具を挿入し、または、カートンの頂部端縁にまで引き下げるとともに、ベース42を押し上げることによって開けることができる。別の方法としては、バッグの頂部に手の指を入れることによって、該頂部を開けることもできる。この段階においては、カートンの底部は略Ｖ字状である。カートンの側壁間の折線32を押圧すると、Ｖ字状が徐々に開き、逆転して中央を越えるまではバッグ底部において側壁間にテンションを与える。カートン底部が逆転して、コーナ状の折線44に起因して凹状となる。一方、カートンの側壁が反対の湾曲を有するようになる。こうして、カートンは自立し、“フレンチフライ”や他の食品、または販売品を受け入れるためにバッグ底部を開いた状態に維持する。
図９は、やや異なる形態のバッグを示している。バッグの側壁端縁が底部の折線近傍において凸状にカーブしており、バッグ底部を略円形形状としている。凸状にカーブした端縁の上方においては、参照番号45で示したように側壁は、上方かつ外側へとフレア状となっており、頂部において広いフラップ46となっている。側壁の端縁は、帯状部47に沿ってヒートシールまたは接着によって固定される。次に図10〜13を参照すると、バッグの開口方法およびバッグの充填が描かれている。
このバッグは、ハンバーガー等の食品に特に適している。カートンで支持されたバッグ底部にハンバーガーが置かれると、バッグ頂部のフラップがハンバーガー上に折り畳まれる。この結果形成された羽根状部分が下方に折り畳まれて、バッグの底部とカートンのベースとの間に挿入される。このようにして、バッグは閉止状態に維持され、バッグ内のハンバーガーまたは他の食品を保護する。
本発明の範囲から逸脱することなく、上述の具体例に対して多くの修正をなすことができる。
例えば、バッグの側端縁に沿って深いマチ（gusset）を形成すれば、必要に応じて開口部をより広くできる。バッグの頂部端縁に、自己粘着ストリップやヒートシール等の閉止手段を設けることにより、または、バッグ頂部端縁を単に折り畳むことによって、不正開封が容易に判断できる閉止部を提供することもできる。さらに、厚紙製カートンの折線を細孔で構成すれば、カートンを立てるために予め折り曲げることが容易になる。
【図１】
0003560982.tif 000002
【図２】
0003560982.tif 000003
【図１２】
0003560982.tif 000004
【図１３】
0003560982.tif 000005
【図３】
0003560982.tif 000006
【図４】
0003560982.tif 000007
【図５】
0003560982.tif 000008
【図７】
0003560982.tif 000009
【図８】
0003560982.tif 000010
【図１０】
0003560982.tif 000011
【図１１】
0003560982.tif 000012
【図６】
0003560982.tif 000013
【図９】
0003560982.tif 000014